(57)【要約】【課題】ユーザのアクセス性及び操作性を損なわないシート支持装置及び画像形成装置を提供する。【解決手段】シート支持装置は、シートを支持すると共に装置本体に対して引出し及び装着可能なシート収納部と、シート収納部に設けられ、外装面１２よりも奥側に窪んで形成される把手部１０とを備える。把手部１０は、外装面１２よりも奥側に形成される奥側面１３と、奥側面１３に対向する対向面１５と、第１端部１３ａと第１端部１５ａとを接続する突き当て面１４と、奥側面１３の他端部１３ｂから傾斜しつつ手前に延びる延出面１６と、延出面１６の端部１６１ａと外装面１２とを接続する接続部１８と、を有し、延出面１６は、水平方向から視て直線的に延び、接続部１８は、水平方向から視て延出面１６に沿って延びる直線よりも上下方向において突き当て面１４とは反対側に配置される。【選択図】  図３
2019210074.tif 000002
【特許請求の範囲】
【請求項１】
外装面を有し、シートを収納すると共に装置本体に対して引出し及び装着可能なシート収納部と、
前記シート収納部に設けられ、前記外装面よりも奥側に窪んで形成される把手部と、を備え、
前記把手部は、前記外装面よりも奥側に形成される奥側面と、前記奥側面に対向する対向面と、前記奥側面及び前記対向面の上下方向における各一端部を接続する突き当て面と、前記奥側面の他端部から傾斜しつつ手前に延びる延出面と、前記延出面の手前側の端部と前記外装面とを接続する接続部と、を有し、
前記接続部は、水平方向から視て、前記延出面に沿って延びる直線よりも上下方向において前記突き当て面とは反対側に配置される、
ことを特徴とするシート支持装置。
【請求項２】
外装面を有し、シートを収納すると共に装置本体に対して引出し及び装着可能なシート収納部と、
前記シート収納部に設けられ、前記外装面よりも奥側に窪んで形成される把手部と、を備え、
前記把手部は、前記外装面よりも奥側に形成される奥側面と、前記奥側面に対向する対向面と、前記奥側面及び前記対向面の上下方向における各一端部を接続する突き当て面と、前記奥側面の他端部から傾斜しつつ手前に延びる延出面と、前記延出面の手前側の端部と前記外装面とを接続する接続部と、を有し、
前記延出面は、水平方向から視て、曲線的に延び、
前記接続部は、水平方向から視て、前記奥側面の前記他端部と、前記奥側面及び前記対向面の中点を結んでなる中心線と前記延出面との交点と、を結んだ直線よりも上下方向において前記突き当て面とは反対側に配置される、
ことを特徴とするシート支持装置。
【請求項３】
前記把手部は、前記延出面の裏側において、上下方向に平行に延びるリブを有する、
ことを特徴とする請求項１又は２に記載のシート支持装置。
【請求項４】
前記外装面は、前記把手部と前記外装面との境界部分において、前記外装面よりも奥側に窪んで形成される凹部と、を有する、
ことを特徴とする請求項１乃至３の何れか１項に記載のシート支持装置。
【請求項５】
前記延出面は、前記突き当て面の上方に形成される、
ことを特徴とする請求項１乃至４の何れか１項に記載のシート支持装置。
【請求項６】
請求項１乃至５の何れか１項に記載のシート支持装置と、
前記シート支持装置から給送されるシートに画像を形成する画像形成部と、を備える、
ことを特徴とする画像形成装置。
【請求項７】
シートに画像を形成する画像形成部を有する装置本体と、
外装面を有し、前記装置本体に対して開閉可能な扉部と、
前記扉部に設けられ、前記外装面よりも奥側に窪んで形成される把手部と、を備え、
前記把手部は、前記外装面よりも奥側に形成される奥側面と、前記奥側面に対向する対向面と、前記奥側面及び前記対向面の上下方向における各一端部を接続する突き当て面と、前記奥側面の他端部から傾斜しつつ手前に延びる延出面と、前記延出面の手前側の端部と前記外装面とを接続する接続部と、を有し、
前記接続部は、水平方向から視て、前記延出面に沿って延びる直線よりも上下方向において前記突き当て面とは反対側に配置される、
ことを特徴とする画像形成装置。
【請求項８】
シートに画像を形成する画像形成部を有する装置本体と、
外装面を有し、シートを収納すると共に装置本体に対して開閉可能な扉部と、
前記扉部に設けられ、前記外装面よりも奥側に窪んで形成される把手部と、を備え、
前記把手部は、前記外装面よりも奥側に形成される奥側面と、前記奥側面に対向する対向面と、前記奥側面及び前記対向面の上下方向における各一端部を接続する突き当て面と、前記奥側面の他端部から傾斜しつつ手前に延びる延出面と、前記延出面の手前側の端部と前記外装面とを接続する接続部と、を有し、
前記延出面は、水平方向から視て、曲線的に延び、
前記接続部は、水平方向から視て、前記奥側面の前記他端部と、前記奥側面及び前記対向面の中点を結んでなる中心線と前記延出面との交点と、を結んだ直線よりも上下方向において前記突き当て面とは反対側に配置される、
ことを特徴とする画像形成装置。
【発明の詳細な説明】
【技術分野】
【０００１】
本発明は、シート支持装置及びこれを備える画像形成装置に関する。
【背景技術】
【０００２】
従来、装置本体の外装面に、ユーザが操作のために手を差し入れ可能な差入部が形成された画像形成装置が提案されている（特許文献１参照）。特許文献１に記載される画像形成装置では、差入部が、外装面に対して、ユーザが指を挿入可能に窪んで形成されており、この差入部に手を差し入れることによって、ユーザは被操作物である装置を把持することができる。
【先行技術文献】
【特許文献】
【０００３】
【特許文献１】特開２００５−１４５６２７号公報
【発明の概要】
【発明が解決しようとする課題】
【０００４】
しかしながら、特許文献１に記載される画像形成装置において、差入部は、奥側の面が略垂直に立った状態に形成されているため、差入部にユーザが手を差し入れる際に指先をどちらに向けて差し入れればよいかがわかりにくい作りになっている。このため、ユーザが差入部へアクセスする際のアクセス性に課題があった。また、手を差入部へ差し入れて装置を操作する際に、差し入れた手の甲側で指が差入部の縁と接触する場合があるため、差入部は、ユーザが被操作物を把持しにくい作りになっている。このため、ユーザが差入部に手を差し入れて被操作物を操作する際の操作性に課題があった。
【０００５】
そこで、本発明は、上述した課題を解決するため、ユーザの把手部へのアクセス性及び把手部の操作性を向上可能なシート支持装置及び画像形成装置を提供することを目的とする。
【課題を解決するための手段】
【０００６】
本発明は、シート支持装置において、外装面を有し、シートを収納すると共に装置本体に対して引出し及び装着可能なシート収納部と、前記シート収納部に設けられ、前記外装面よりも奥側に窪んで形成される把手部と、を備え、前記把手部は、前記外装面よりも奥側に形成される奥側面と、前記奥側面に対向する対向面と、前記奥側面及び前記対向面の上下方向における各一端部を接続する突き当て面と、前記奥側面の他端部から傾斜しつつ手前に延びる延出面と、前記延出面の手前側の端部と前記外装面とを接続する接続部と、を有し、前記接続部は、水平方向から視て、前記延出面に沿って延びる直線よりも上下方向において前記突き当て面とは反対側に配置される、ことを特徴とする。
【０００７】
また、本発明は、シート支持装置において、外装面を有し、シートを収納すると共に装置本体に対して引出し及び装着可能なシート収納部と、前記シート収納部に設けられ、前記外装面よりも奥側に窪んで形成される把手部と、を備え、前記把手部は、前記外装面よりも奥側に形成される奥側面と、前記奥側面に対向する対向面と、前記奥側面及び前記対向面の上下方向における各一端部を接続する突き当て面と、前記奥側面の他端部から傾斜しつつ手前に延びる延出面と、前記延出面の手前側の端部と前記外装面とを接続する接続部と、を有し、前記延出面は、水平方向から視て、曲線的に延び、前記接続部は、水平方向から視て、前記奥側面の前記他端部と、前記奥側面及び前記対向面の中点を結んでなる中心線と前記延出面との交点と、を結んだ直線よりも上下方向において前記突き当て面とは反対側に配置される、ことを特徴とする。
【０００８】
本発明は、画像形成装置において、シートに画像を形成する画像形成部を有する装置本体と、外装面を有し、前記装置本体に対して開閉可能な扉部と、前記扉部に設けられ、前記外装面よりも奥側に窪んで形成される把手部と、を備え、前記把手部は、前記外装面よりも奥側に形成される奥側面と、前記奥側面に対向する対向面と、前記奥側面及び前記対向面の上下方向における各一端部を接続する突き当て面と、前記奥側面の他端部から傾斜しつつ手前に延びる延出面と、前記延出面の手前側の端部と前記外装面とを接続する接続部と、を有し、前記接続部は、水平方向から視て、前記延出面に沿って延びる直線よりも上下方向において前記突き当て面とは反対側に配置される、ことを特徴とする。
【０００９】
また、本発明は、画像形成装置において、シートに画像を形成する画像形成部を有する装置本体と、外装面を有し、シートを収納すると共に装置本体に対して開閉可能な扉部と、前記扉部に設けられ、前記外装面よりも奥側に窪んで形成される把手部と、を備え、前記把手部は、前記外装面よりも奥側に形成される奥側面と、前記奥側面に対向する対向面と、前記奥側面及び前記対向面の上下方向における各一端部を接続する突き当て面と、前記奥側面の他端部から傾斜しつつ手前に延びる延出面と、前記延出面の手前側の端部と前記外装面とを接続する接続部と、を有し、前記延出面は、水平方向から視て、曲線的に延び、前記接続部は、水平方向から視て、前記奥側面の前記他端部と、前記奥側面及び前記対向面の中点を結んでなる中心線と前記延出面との交点と、を結んだ直線よりも上下方向において前記突き当て面とは反対側に配置される、ことを特徴とする。
【発明の効果】
【００１０】
本発明によれば、ユーザの把手部へのアクセス性及び把手部の操作性を向上することができる。
【図面の簡単な説明】
【００１１】
【図１】本発明の実施形態に係る画像形成装置の全体構成を示す概略図。
【図２】シート収納部に設けられる把手部の斜視図。
【図３】直線的に傾斜して延びる延出面を有する把手部の断面図。
【図４】曲線的に傾斜して延びる延出面を有する把手部の断面図。
【図５】延出面の傾斜をリブの傾斜に沿う角度で傾斜させた把手部の断面図。
【図６】把手部と外装面との境界部分に凹部を設けた場合における把手部の断面図。
【図７】扉部に把手部を設けた画像形成装置の全体構成を示す概略図。
【発明を実施するための形態】
【００１２】
＜第１の実施形態＞
〔全体構成〕
まず、第１の実施形態について説明する。第１の実施形態に係る画像形成装置としてのプリンタ１は、電子写真方式のレーザビームプリンタである。以下の説明では、プリンタ１を略正面から視た状態（図１の視点）を基準にして、上、下、左、右、奥及び手前の方向を表すものとする。プリンタ１は、図１に例示するように、画像読取装置２と、画像形成部６と、給送部８と、シート支持装置３０と、を備えている。画像読取装置２は、図示を省略している原稿の画像を読み取るスキャナ部と、スキャナ部に原稿を自動給送可能な自動原稿搬送装置（ＡＤＦ）３と、を備えている。ＡＤＦ３には、画像読取装置２へ向けて給送する原稿を載置する原稿トレイ４と、画像を読み取った後の原稿を排出するＡＤＦ排出トレイ５と、が配設されている。画像形成部６は、何れも図示が省略されている、トナー像が形成される感光ドラムと、感光ドラムにレーザ光を照射する露光装置と、感光ドラムにトナーを供給する現像装置と、トナー像をシートに転写する転写装置と、を有している。
【００１３】
次に、プリンタ１における画像読取動作及び画像形成動作について説明する。なお、画像読取動作の説明に際しては、画像読取装置２を用いて原稿を流し読むことによって当該原稿の画像を読み取る場合を例にして説明する。また、画像形成動作の説明に際しては、スキャナ部によって読み取られた原稿の画像情報に基づいて、カセット９から給送されるシートに画像を形成する場合の例を説明する。
【００１４】
プリンタ１は、画像読取動作を開始する指令を受け付けると、まず、ＡＤＦ３が原稿トレイ４に載置される原稿をスキャナ部（図示省略）へ給送する。スキャナ部は、給送される原稿を流し読んで、流し読んだ原稿の画像情報を取得する。スキャナ部が取得した画像情報は、装置本体２０に内蔵される制御部（図示省略）へ送られる。一方、スキャナ部が流し読んだ後の原稿はＡＤＦ排出トレイ５へ排出される。
【００１５】
続いて、プリンタ１は、画像形成動作を開始する指令を受けると、スキャナ部が取得した画像情報に基づいて、画像形成部６がトナー像を形成する。より詳細には、感光ドラムが回転し、感光ドラムの表面が帯電装置によって一様に帯電する。すると、露光装置は、スキャナ部が取得した画像情報に基づいて、レーザ光を変調して出力する。露光装置は、レーザ光を出力し、感光ドラムの表面を走査することによって、感光ドラムの表面上に画像データに基づく静電潜像を形成する。形成された静電潜像は、現像装置からのトナー供給によって可視化されてトナー像となる。
【００１６】
一方、上述した画像形成動作と並行して、給送部８は、シート支持装置３０が支持するシートを、画像形成部６へ向けて給送する。シートが画像形成部６へ向けて給送される際には、画像形成部６において形成されたトナー像と同期がとられている。画像形成部６において形成されたトナー像は、転写装置によって、給送されたシートに転写される。トナー像が転写されたシートは、定着装置（図示省略）によって加熱及び加圧されてシートに転写された後、排出ローラ対（図示省略）によって排出トレイ７へ排出される。
【００１７】
〔シート支持装置〕
シート支持装置３０は、図１に示すように、装置本体２０に対して引出し及び装着可能なシート収納部としてのカセット９と、手を差し入れ可能な把手部１０と、を備えている。カセット９は、シートを積載して支持可能なシート支持部（図示省略）を内部に有している。また、カセット９は、カセット９が装置本体２０に対して装着された状態において、フロントカバー１１と面一となる外装面１２を有している。外装面１２は、カセット９の手前側の面（以下、「前面」とする）に形成されると共に、水平方向の一例である左右方向と水平方向と直交する鉛直方向、すなわち上下方向とに延在している。さらに、カセット９の前面には、ユーザが装置本体２０に対してカセット９を引出し及び装着する操作をする際に、手を差し入れ可能な把手部１０が配設されている。
【００１８】
把手部１０は、図２に示すように、カセット９の前面に形成される外装面１２に設けられている。また、把手部１０は、図３に示すように、奥側面１３と、突き当て面１４と、対向面１５と、延出面１６と、接続部１８と、を有している。奥側面１３は、左右方向から視て、外装面１２よりも奥側に形成されている。奥側面１３と奥行方向において対向する位置に対向面１５が形成されている。突き当て面１４は、奥側面１３及び対向面１５の上下方向における各一端部としての第１端部１３ａ及び第１端部１５ａを接続して形成されている。
【００１９】
奥側面１３の上下方向における他端部としての第２端部１３ｂからは、上下方向に対して傾斜しつつ手前に延びる延出面１６が形成されている。本実施形態では、延出面１６として、左右方向から視て、直線的に延びている傾斜面１６１が形成されている。傾斜面１６１は、上下方向において突き当て面１４から離れるにつれて奥から手前に向かって延びている。接続部１８は、延出面１６の手前側の端部としての第１端部１６１ａと外装面１２とを接続して形成されている。また、接続部１８は、左右方向から視て、延出面１６、すなわち傾斜面１６１に沿って延びる直線Ｌ１よりも上下方向において突き当て面１４とは反対側に配置されている。換言すれば、接続部１８は、直線Ｌ１よりもカセット９の内側へ向けて窪んで形成されている。縁部１７は、図２に示すように、把手部１０と外装面１２との境界部分を形成している。
【００２０】
このように構成されるシート支持装置３０（図１参照）では、把手部１０に手を差し入れて、差し入れた手を対向面１５に掛けることができる。また、手を差し入れた際に、指先が延出面１６に接触するため、延出面１６に沿って手先が滑らかに突き当て面１４へ向かって案内される。ユーザは、対向面１５に手を掛けて手前に引くことによって、カセット９を装置本体２０から引出すことができる。ユーザは、引出したカセット９を奥に押し込むことで、カセット９を装置本体２０に装着することができる。
【００２１】
本実施形態によれば、把手部１０が、左右方向から視て、外装面１２の一部であるカセット９の前面よりも奥側に窪んで形成されているため、把手部１０が装置本体２０の外側へ張り出すことがない。従って、把手部１０が外装面１２に設けられたとしても、装置本体２０に設置する部品の設置面積は小さく抑えられる。
【００２２】
また、本実施形態では、延出面１６が上下方向において突き当て面１４から離れるにつれて奥側面１３から手前に向かって延びて形成されているため、延出面１６を視認しやすい。このため、外部から延出面１６を目標にして手を差し入れやすい。また、延出面１６を目標にして把手部１０に手を差し入れた際に、延出面１６に沿って手先が滑らかに突き当て面１４へ向かって案内される。従って、本実施形態によれば、ユーザにとって把手部１０へのアクセス性が向上する。
【００２３】
本実施形態では、延出面１６に対し、接続部１８が上下方向において突き当て面１４とは反対側に配置されるため、ユーザが対向面１５に手を掛けて手前に引く際に、把手部１０に差し入れた手の甲側で指が縁部１７と接触することがない。従って、従来、接触の程度によっては指が痛くなる等のユーザにとって把持する際に生じていた不快さを解消することができる。また、指が縁部１７と接触しないため、把手部１０に手を差し入れてカセット９を挿抜する際に、カセット９を挿抜する操作を円滑に行うことができる。従って、本実施形態によれば、把手部１０の操作性が向上する。
【００２４】
＜第２の実施形態＞
次いで、本発明の第２の実施形態について説明する。第２の実施形態は、第１の実施形態における傾斜面１６１が、湾曲面１６２である点で相違するが、その他の点では実質的な相違はない。そこで、本実施形態では、第１の実施形態と同様の構成については、図示を省略、又は図に同一符号を付して説明する。
【００２５】
本実施形態の把手部１０は、図４に示すように、奥側面１３と、突き当て面１４と、対向面１５と、延出面１６と、接続部１８と、を有している。奥側面１３は、上下方向から視て外装面１２よりも奥側に形成されている。奥側面１３と奥行方向において対向する位置に対向面１５が形成されている。突き当て面１４は、奥側面１３及び対向面１５の上下方向における各一端部としての第１端部１３ａ及び第１端部１５ａを接続して形成されている。
【００２６】
奥側面１３の上下方向における他端部としての第２端部１３ｂからは、上下方向に対して傾斜しつつ手前に延びる延出面１６が形成されている。本実施形態では、延出面１６として、左右方向から視て、曲線的に延びている湾曲面１６２が形成されている。湾曲面１６２は、上下方向において突き当て面１４から離れるにつれて奥から手前に向かって延びている。接続部１８は、延出面１６の手前側の端部としての第１端部１６２ａと外装面１２とを接続して形成されている。また、接続部１８は、左右方向から視て、第２端部１３ｂと交点Ｐ１とを結んだ直線Ｌ２よりも上下方向において突き当て面１４とは反対側に配置されている。換言すれば、接続部１８は、直線Ｌ２よりもカセット９の内側へ向けて窪んで形成されている。ここで、交点Ｐ１は、奥側面１３及び対向面１５の中点を結んでなる中心線Ｃと、延出面１６、すなわち湾曲面１６２との交点である。
【００２７】
本実施形態によれば、延出面１６が湾曲面１６２の場合においても、第１の実施形態と同様の効果を得ることができる。すなわち、把手部１０が外装面１２に設けられたとしても、装置本体２０に設置する部品の設置面積は小さく抑えられる。また、ユーザにとって把手部１０へのアクセス性及び把手部１０の操作性が向上する。また、本実施形態によれば、接続部１８と延出面１６との境界部分が把手部１０の外部から見えないようにすることもできる。この場合、接続部１８と延出面１６との境界部分が把手部１０の外部から見える場合と比べて、把手部１０を正面から見た場合に延出面１６の割合がより多くなるので、把手部１０へのアクセス性がより向上する。また、接続部１８と延出面１６との境界部分が把手部１０の外部から見える場合と比べて、ユーザに異なる美感を与えることができる。
【００２８】
＜第３の実施形態＞
次いで、本発明の第３の実施形態について説明する。第３の実施形態は、カセット９に配設されるリブ９ａとの関係を考慮して把手部１０を構成した点で上述した実施形態と相違するが、その他の点では実質的な相違はない。そこで、本実施形態では、第１及び第２の実施形態と同様の構成については、図示を省略、又は図に同一符号を付して説明する。
【００２９】
本実施形態の把手部１０は、図５に示すように、奥側面１３と、突き当て面１４と、対向面１５と、延出面１６と、接続部１８と、を有している。奥側面１３は、左右方向から視て、外装面１２よりも奥側に形成されている。奥側面１３と奥行方向において対向する位置に対向面１５が形成されている。突き当て面１４は、奥側面１３及び対向面１５の上下方向における各一端部としての第１端部１３ａ及び第１端部１５ａを接続して形成されている。
【００３０】
奥側面１３の上下方向における他端部としての第２端部１３ｂからは、上下方向に対して傾斜しつつ手前に延びる延出面１６が形成されている。図５に示した延出面１６は、傾斜面１６１である。接続部１８は、延出面１６の手前側の端部としての第１端部１６１ａと外装面１２とを接続して形成されている。また、接続部１８は、左右方向から視て、延出面１６、すなわち傾斜面１６１に沿って延びる直線Ｌ１（図３参照）よりも上下方向において突き当て面１４とは反対側に配置されている。
【００３１】
また、把手部１０は、延出面１６の裏側において、上下方向に平行に延びるリブ９ａを有している。リブ９ａは、カセット９の強度を増強するために、カセット９における外装面１２の奥に配設されている。また、リブ９ａは、上下方向に対して傾斜しており、下から上に向かうにつれて奥から手前に向かってせり出して形成されている。すなわち、傾斜面１６１の傾斜は、リブ９ａの傾斜に沿って形成されている。
【００３２】
本実施形態によれば、外装面１２の奥にリブ９ａ等の部品が配設される場合においても、リブ９ａの傾斜に沿って傾斜面１６１の傾斜を形成することができるので、把手部１０を外装面１２に設けることができる。なお、本実施形態において上述した把手部１０は、延出面１６として傾斜面１６１が形成されている例であるが、傾斜面１６１の代わりに湾曲面１６２（図４参照）が形成されていてもよい。
【００３３】
＜第４の実施形態＞
次いで、本発明の第４の実施形態について説明する。第４の実施形態は、既述の実施形態に対して、凹部１９を追設して把手部１０を構成したものである。そこで、本実施形態では、第１，２，３の実施形態と同様の構成については、図示を省略、又は図に同一符号を付して説明する。
【００３４】
本実施形態の把手部１０は、図６に示すように、把手部１０が、奥側面１３と、突き当て面１４と、対向面１５と、延出面１６と、接続部１８と、を有している。奥側面１３は、左右方向から視て、外装面１２よりも奥側に形成されている。奥側面１３と奥行方向において対向する位置に対向面１５が形成されている。突き当て面１４は、奥側面１３及び対向面１５の上下方向における各一端部としての第１端部１３ａ及び第１端部１５ａを接続して形成されている。
【００３５】
奥側面１３の上下方向における他端部としての第２端部１３ｂからは、上下方向に対して傾斜しつつ手前に延びる延出面１６が形成されている。図６に示した延出面１６は、傾斜面１６１である。接続部１８は、延出面１６の手前側の端部としての第１端部１６１ａと外装面１２とを接続して形成されている。また、接続部１８は、左右方向から視て、延出面１６、すなわち傾斜面１６１に沿って延びる直線Ｌ１（図３参照）よりも上下方向において突き当て面１４とは反対側に配置されている。そして、把手部１０と外装面１２との境界部分としての縁部１７に、外装面１２よりも奥側に窪んで形成される凹部１９が追設されている。すなわち、外装面１２が、縁部１７において、凹部１９を有している。
【００３６】
本実施形態によれば、外装面１２が、把手部１０と外装面１２との境界部分としての縁部１７において、外装面１２よりも奥側に窪む凹部１９を有しているので、視覚的に把手部１０の輪郭が強調される。従って、本実施形態では、シート支持装置及び画像形成装置における把手部１０の存在感をより増強することができる。この結果、把手部１０の視認性及びアクセス性は、さらに向上可能である。また、外装面１２が凹部１９を有していない場合と比べて、ユーザに異なる美感を与えることができる。さらに、凹部１９を設けるか否かでデザインの自由度が増えるため、より多くのデザインバリエーションを提供することができる。
【００３７】
なお、本実施形態において上述した把手部１０は、延出面１６として傾斜面１６１が形成されている例であるが、傾斜面１６１の代わりに湾曲面１６２（図４参照）が形成されていてもよい。また、把手部１０は、延出面１６の裏側において、上下方向に平行に延びるリブ９ａ（図５参照）を有していてもよい。
【００３８】
＜その他の実施形態＞
本発明は、上述した実施形態そのままに限定されるものではなく、上述した例以外にも様々な形態で実施することが可能であり、発明の要旨を逸脱しない範囲で、種々の省略、置換、変更を行うことができる。すなわち、構成部品の寸法、材質、形状それらの相対配置等は、装置の構成や各種条件に応じて、適宜変更等して本発明を適用することができる。例えば、上述した実施形態では、把手部１０がカセット９に設けられる例を説明しているが、把手部１０を配設可能な構成要素は、カセット９に限定されない。図７に例示する画像形成装置としてのプリンタ１のように、装置本体２０に対して開閉可能な扉部２１等のカセット９以外の外装面１２を有する構成要素に把手部１０を設けることもできる。カセット９以外の外装面１２を有する構成要素に把手部１０を設けた場合においても、把手部１０を設けた構成要素へのユーザのアクセス性及び操作性が向上する。
【００３９】
また、上述した実施形態において、図１〜７に示した把手部１０は、その下部に突き当て面１４が形成され、突き当て面１４の上方に延出面１６が形成されている例であるが、把手部１０を配設する際の方向は、この例に限定されない。奥側面１３、突き当て面１４、対向面１５、延出面１６及び接続部１８の相対的な位置関係が維持されていれば、任意である。例えば、図２に示される把手部１０を、時計回りに、９０度、１８０度又は２７０度回転させた状態で配設してもよい。すなわち、突き当て面１４が把手部１０の左部に形成され、突き当て面１４の右方に延出面１６が形成されていてもよい。突き当て面１４が把手部１０の右部に形成され、突き当て面１４の左方に延出面１６が形成されていてもよい。突き当て面１４が把手部１０の上部に形成され、突き当て面１４の下方に延出面１６が形成されていてもよい。さらに、把手部１０を配設する個数についても、１個に限らず、必要に応じて複数個を配設してもよい。
【００４０】
また、上述した実施形態では、接続部１８はカセット９の内側へ窪んだ段形状に形成されていたが、これに限定されない。例えば、接続部１８は、複数の段形状や、滑らかな湾曲形状等から形成されてもよい。さらに、上述した実施形態では、実施形態に係る画像形成装置の一例としてプリンタ１を説明したが、ノズルからインク液を吐出させることでシートに画像を形成するインクジェット方式の画像形成装置にも本発明を適用することもできる。
【符号の説明】
【００４１】
１：画像形成装置（プリンタ）／６：画像形成部／９：シート収納部（カセット）／９ａ：リブ／１０：把手部／１２：外装面／１３：奥側面／１３ａ，１５ａ：一端部（第１端部）／１３ｂ：他端部（第２端部）／１４：突き当て面／１５：対向面／１６：延出面／１６１ａ，１６２ａ：端部（第１端部）／１８：接続部／１９：凹部／２０：装置本体／２１：扉部／３０：シート支持装置／Ｃ：中心線／Ｐ１：交点／Ｌ１，Ｌ２：直線
【図１】
2019210074.tif 000003
【図２】
2019210074.tif 000004
【図３】
2019210074.tif 000005
【図４】
2019210074.tif 000006
【図５】
2019210074.tif 000007
【図６】
2019210074.tif 000008
【図７】
2019210074.tif 000009